(57)【特許請求の範囲】
【請求項１】
ドライバーシートのシートクッション近傍に設けられ、通話信号を入出力する入出力端子を備えた携帯電話が収容されるように上側が開口した容器状に形成された収容部と、
この収容部に、一端側が車内に設置されたマイク及びスピーカにアダプターユニットを介して接続されたケーブルの他端側を貫通するように形成された貫通穴と、
この貫通穴を前記ケーブルの他端側が貫通した状態で前記収容部の内側から塞ぐゴム製のグロメットとを備え、
このグロメットには、前記ケーブルの他端に設けられて前記携帯電話の前記入出力端子に接続されるコネクターが差し込まれる凹部が形成されたことを特徴とするドライバーシートの携帯電話接続構造。
【請求項２】
前記グロメットの前記凹部は、前記グロメットの上面から下方に向かって垂直に形成されたことを特徴とする請求項１記載のドライバーシートの携帯電話接続構造。
【請求項３】
前記グロメットに、前記携帯電話を収容するように容器状に形成されたゴム製の収容部を設けたことを特徴とする請求項１又は２記載のドライバーシートの携帯電話接続構造。
【発明の詳細な説明】
【０００１】
【発明の属する技術分野】
本発明は、ドライバーシートの携帯電話接続構造に関する。
【０００２】
【従来の技術】
従来、車両のドライバーシートには、運転者が運転中に携帯電話を持たずに通話（ハンドフリー通話）が行えるように携帯電話を接続する接続構造が設けられており、例えば図７に示すドライバーシート１０１のシートクッション１０２の車内側Ｉに設けられたシートサイドフィニッシャ１０３に設けられている。
【０００３】
この接続構造は、図８にも示すように、シートサイドフィニッシャ１０３に設けられ、通話信号を入出力する入出力端子を備えた携帯電話（図示せず）が収容されるように上側が開口した容器状に形成された収容部１０４と、収容部１０４の車外側壁１０５に、一端側が車内に設置された図外のマイク及びスピーカに図外のアダプターユニットを介して接続されたケーブル１０６の他端側が貫通するように形成された貫通穴１０７と、貫通穴１０７をケーブル１０６の他端側が貫通された状態で収容部１０４の内側から塞ぐグロメット１０８とを備えている。
【０００４】
ケーブル１０６の他端には携帯電話の入出力端子に接続されるコネクター１０９が設けられている。したがって、コネクター１０９を携帯電話の入出力端子に差し込むことにより、携帯電話から出力された通話信号がアダプターユニットを介して車内のスピーカに伝わると共に、マイクに入力された通話信号がアダプターユニットを介して携帯電話に伝わり、運転者のハンドフリー通話が可能となっている。尚、アダプターユニットは音声を通常の品質に保つ機能を有している。
【０００５】
【発明が解決しようとする課題】
しかしながら、このような携帯電話接続構造においては、携帯電話が接続されていない非接続時には、ケーブル１０６のコネクター１０９は位置が固定されておらず自由な状態になっている。したがって、走行時にはコネクター１０９が踊って収容部１０４にぶつかることにより低級音が発生するため、乗員に不快感を与えてしまう問題があった。
【０００６】
本発明は、かかる従来の課題に鑑みてなされたものであり、携帯電話の非接続時に乗員に与える不快感をなくすことができるドライバーシートの携帯電話接続構造を提供することを目的とする。
【０００７】
【課題を解決するための手段】
前記課題を解決するために本発明の請求項１記載のドライバーシートの携帯電話接続構造においては、ドライバーシートのシートクッション近傍に設けられ、通話信号を入出力する入出力端子を備えた携帯電話が収容されるように上側が開口した容器状に形成された収容部と、この収容部に、一端側が車内に設置されたマイク及びスピーカにアダプターユニットを介して接続されたケーブルの他端側を貫通するように形成された貫通穴と、この貫通穴を前記ケーブルの他端側が貫通した状態で前記収容部の内側から塞ぐゴム製のグロメットとを備え、このグロメットには、前記ケーブルの他端に設けられて前記携帯電話の前記入出力端子に接続されるコネクターが差し込まれる凹部が形成されたものとしている。
【０００８】
かかる構成においては、携帯電話の非接続時に接続ケーブルのコネクターをグロメットの凹部に差し込んでおくことによりコネクターの位置が固定される。このため、走行時にコネクターは踊ることがなく低級音が発生しない。
【０００９】
また、請求項２記載のドライバーシートの携帯電話接続構造においては、前記グロメットの前記凹部は、前記グロメットの上面から下方に向かって垂直に形成されたものとしている。
【００１０】
かかる構成においては、ケーブルのコネクターをグロメットの凹部に差し込むときに力を加えやすくなる。また、コネクターは下向きに差し込まれるため、コネクター内にゴミ等が入らない。
【００１１】
また、請求項３記載のドライバーシートの携帯電話接続構造においては、前記グロメットに、前記携帯電話を収容するように容器状に形成されたゴム製の収容部を設けたものとしている。
【００１２】
かかる構成においては、走行時に携帯電話がグロメットの収容部内で踊っても収容部がゴム製であることから携帯電話に対する衝撃が和らげられる。
【００１３】
【発明の実施の形態】
以下、本発明の一実施の形態を図にしたがって説明する。
【００１４】
図１は、本発明の第一の実施の形態を示す車両のドライバーシート１の携帯電話接続構造の斜視図であり、図２は、図１の分解斜視図である。この接続構造は、ドライバーシート１のシートクッション２の車内側Ｉに設けられたシートサイドフィニッシャ３に設けられ、通話信号を入出力する入出力端子を備えた携帯電話（図示せず）が収容されるように上側が開口した容器状に形成された収容部４と、収容部４の車外側壁４１の後部に、一端側が車内に設置された図外のマイク及びスピーカに図外のアダプターユニットを介して接続されたケーブル５の他端側が貫通するように形成された円形状の貫通穴４２と、貫通穴４２をケーブル５の他端側が貫通した状態で収容部４の内側から塞ぐシリコンゴム製のグロメット６とを備えている。
【００１５】
前記携帯電話が収容される収容部４の内部４３は、上側が開口してドライバーシート１の前後方向に延在して形成されている。また、収容部４の車外側壁４１の後部において貫通穴４２より前方の下部には、図３（図１のＡ−Ａ断面図）にも示すように、貫通穴４２を塞いだ状態のグロメット６に差し込む樹脂クリップ７が挿入される挿入穴４４が形成されている。
【００１６】
グロメット６は、収容部４の内部４３の後部の形状に合わせて形成されており、収容部４の車外側壁４１と対応する車外側面６１には、収容部４の貫通穴４２に嵌合するように上方が開口したＣ字状の嵌合部６２が設けられている。
【００１７】
また、グロメット６には、嵌合部６２の内側部６３の中心から嵌合部６２の開口部６４を通って上面６５にかけて、ケーブル５の他端部５１をはめ込むケーブル溝６６が後方側に向かって湾曲状に形成されている。
【００１８】
これによりグロメット６は、ケーブル溝６６にケーブル５の他端部５１をはめ込んだ状態で嵌合部６２を収容部４の貫通穴４２にはめ込むことにより、貫通穴４２をケーブル５が貫通した状態で収容部４の内側から塞ぐように構成されている。
【００１９】
また、グロメット６の車外側面６１には、嵌合部６２より前方側の下部に収容部４の挿入穴４４に対応して樹脂クリップ７（図３参照）が差し込まれる差し込み穴６７が形成されている。
【００２０】
また、グロメット６の上面６５には、ケーブル５の他端に設けられて前記携帯電話の入出力端子に接続されるコネクター５２が差し込まれる凹部６８が形成されている。
【００２１】
この凹部６８は、グロメット６の上面６５の前部から中間部にかけて延在して形成されているとともに図４に示すように上面６５から下方に向かって垂直に形成されており、その深さ６８ａは一番小さい硬貨である１円玉の直径よりも小さく設定されている。
【００２２】
また凹部６８には、車内側Ｉの内壁面６８ｂと車外側Ｏの内壁面６８ｃとにそれぞれ相対向する複数のリブ６８ｄが垂直方向に形成されている。
【００２３】
また、図４に示すようにグロメット６において収容部の車内側壁と対応する車内側面６９の後部には、下端から上方に向かって切り欠かれるとともに車内側面６９から車外側面６１に向かって切り欠かれた切欠部６９ａが形成されている。
【００２４】
また、ケーブル５の一端側は、図３に示すようにシートクッション２の底部を構成するクッションパン２１の車内側Ｉでボルト２２固定されてシートクッション２の骨格を形成しているフレーム２３を貫通して、クッションパン２１の中央部にクリップ２４で固定されており、一端に設けられたコネクター５３によって車内に設置されたマイク及びスピーカに接続している。
【００２５】
したがって、携帯電話の入出力端子に接続ケーブル５のコネクター５２を差し込むことにより、携帯電話から出力された通話信号がアダプターユニットを介して車内のスピーカに伝わると共にマイクに入力された通話信号がアダプターユニットを介して携帯電話に伝わり、運転者のハンドフリー通話が可能となっている。
【００２６】
かかる構成においては、携帯電話の非接続時にケーブル５のコネクター５２をグロメット６の凹部６８に差し込んでおくことによりコネクター５２が複数のリブ６８ｄによって挟持されて位置が固定されるため、走行時にコネクター５２は踊ることがなく低級音が発生しない。よって、携帯電話の非接続時に乗員に与える不快感をなくすことができる。
【００２７】
また、グロメット６の凹部６８を上面６５から下方に向かって垂直に形成したことによりケーブル５のコネクター５２を凹部６８に差し込むときに力を加えやすくなるため、コネクター５２の差し込み操作を容易に行うことができる。
【００２８】
また、コネクター５２は下向きに差し込まれることによりコネクター５２内にゴミ等が入らないため、携帯電話に対する接続不良を防ぐことができる。
【００２９】
また、グロメット６の凹部６８の深さ６８ａは１円玉の直径よりも小さく設定されていることから、コネクター５２が携帯電話に接続されているときに凹部６８内に硬貨が落ちても容易に取り出すことができる。
【００３０】
また、グロメット６に切欠部６９ａを設けたことにより、グロメット６を収容部４に取り付ける際にグロメット６の変形を吸収することができる。よって、グロメット６の取付作業を容易に行うことができる。
【００３１】
また、収容部４に取り付けたグロメット６の差し込み穴６７に、収容部４の挿入穴４４から樹脂クリップ７を差し込むことにより、グロメット６が収容部４に固定されるため、コネクター５２を凹部６８から引き抜くときに収容部４からグロメット６が抜けるのを防止することができる。
【００３２】
なお、本実施の形態では、グロメット６を収容部４の貫通穴４２を塞ぐ機能に限定して形成したが、このグロメット６の他に例えば第二の実施の形態として図５および図６（図５のＣ−Ｃ断面図）に示すゴム製のグロメット９でも良い。
【００３３】
このグロメット９は、シートサイドフィニッシャ３に設けられた収容部４の貫通穴４２（図２参照）をケーブル５の他端側が貫通した状態で塞ぐ閉塞部９１と、収容部４の内部４３全体の形状に合わせて携帯電話１００を収容するように容器状に形成された収容部９２とが一体形成されて構成されている。
【００３４】
そして、閉塞部９１は第一の実施の形態のグロメット６と同様な構成を有しており、上面９３には前記グロメット６の凹部６８と同型の凹部９４が形成されている。又、車外側壁９５にはケーブル５を収容部９２内に引き出すためのスリット９６が形成されている。
【００３５】
かかる構成においては、走行時に携帯電話１００がグロメット９の収容部９２内で踊っても収容部９２がゴム製であることから携帯電話１００に対する衝撃が和らげられる。よって、走行時における携帯電話１００の損傷を防ぐことができる。
【００３６】
なお、両実施の形態では、収容部４をドライバーシート１のシートクッション２の車内側Ｉに設けられたシートサイドフィニッシャ３に設けたが、収容部４の設置場所はシートサイドフィニッシャ３に限定されることはなく、コンソールボックス等シートクッション２の近傍に設ければ良い。
【００３７】
【発明の効果】
以上説明したように本発明の請求項１記載のドライバーシートの携帯電話接続構造においては、携帯電話の非接続時に接続ケーブルのコネクターをグロメットの凹部に差し込んでおくことによりコネクターの位置が固定されるため、走行時にコネクターは踊ることがなく低級音が発生しない。よって、携帯電話の非接続時に乗員に与える不快感をなくすことができる。
【００３８】
また、請求項２記載のドライバーシートの携帯電話接続構造においては、ケーブルのコネクターをグロメットの凹部に差し込むときに力を加えやすくなるため、コネクターの差し込み操作を容易に行うことができる。また、コネクターは下向きに差し込まれることからコネクター内にゴミ等が入らず、携帯電話に対する接続不良を防ぐことができる。
【００３９】
また、請求項３記載のドライバーシートの携帯電話接続構造においては、走行時に携帯電話がグロメットの収容部内で踊っても収容部がゴム製であることから携帯電話に対する衝撃が和らげられる。よって、走行時における携帯電話の損傷を防ぐことができる。
【図面の簡単な説明】
【図１】本発明の第一の実施の形態を示すドライバーシートの携帯電話接続構造の斜視図である。
【図２】図１の分解斜視図である。
【図３】図１のＡ−Ａ断面図である。
【図４】図２のグロメットのＢ矢視図である。
【図５】本発明の第二の実施の形態を示すグロメットの斜視図である。
【図６】図５のＣ−Ｃ断面図である。
【図７】従来の携帯電話接続構造が設けられたドライバーシートの斜視図である。
【図８】図７の要部拡大図である。
【符号の説明】
１    ドライバーシート
２    シートクッション
４    収容部
５    ケーブル
６    グロメット
９    グロメット
４２    貫通穴
５２    コネクター
６５    上面
６８    凹部
９２    収容部
９３    上面
９４    凹部
１００    携帯電話
【図１】
0004048820.tif 000002
【図２】
0004048820.tif 000003
【図３】
0004048820.tif 000004
【図４】
0004048820.tif 000005
【図５】
0004048820.tif 000006
【図６】
0004048820.tif 000007
【図７】
0004048820.tif 000008
【図８】
0004048820.tif 000009